(57)【要約】【課題】時間変動の大きな伝送路環境においてＴＭＣＣ伝送特性を改善する。【解決手段】周波数方向において所定帯域が複数のセグメントからなり、且つ時間方向においてフレームが複数のシンボルからなる信号構造により伝送を行うデジタル放送システムのための送信装置１は、複数のセグメントのそれぞれのＴＭＣＣキャリアに配置されるＴＭＣＣ信号に対して、フレーム内のシンボル単位で時間インターリーブを施す時間インターリーブ部１３を備える。時間インターリーブ部１３は、セグメントごとに又はＴＭＣＣキャリアごとに、時間インターリーブにおけるインターリーブパターンを異ならせる。【選択図】図３
2020065253.tif 000002
【特許請求の範囲】
【請求項１】
周波数方向において所定帯域が複数のセグメントからなり、且つ時間方向においてフレームが複数のシンボルからなる信号構造により伝送を行うデジタル放送システムのための送信装置であって、
前記複数のセグメントのそれぞれのＴＭＣＣキャリアに配置されるＴＭＣＣ信号に対して、前記フレーム内のシンボル単位で時間インターリーブを施す時間インターリーブ部を備え、
前記時間インターリーブ部は、セグメントごとに又はＴＭＣＣキャリアごとに、前記時間インターリーブにおけるインターリーブパターンを異ならせることを特徴とする送信装置。
【請求項２】
前記時間インターリーブ部は、前記ＴＭＣＣキャリアごとに、当該ＴＭＣＣキャリアに配置される前記ＴＭＣＣ信号に含まれる情報をシンボル単位で巡回シフトする巡回シフトインターリーブ部を備え、
前記巡回シフトインターリーブ部は、前記ＴＭＣＣキャリアごとに、当該ＴＭＣＣキャリアが属するセグメントのセグメント番号又は当該ＴＭＣＣキャリアのキャリア番号に基づいて前記巡回シフトにおけるシフト量を決定することを特徴とする請求項１に記載の送信装置。
【請求項３】
前記時間インターリーブ部は、
インターリーブ前後のシンボル番号の対応関係をセグメント番号又はキャリア番号ごとに定めるランダマイズテーブルを保持するランダマイズテーブル保持部と、
前記ＴＭＣＣキャリアごとに、当該ＴＭＣＣキャリアに配置される前記ＴＭＣＣ信号に含まれる情報を前記ランダマイズテーブルに従ってインターリーブするインターリーブ部と、を備えることを特徴とする請求項１に記載の送信装置。
【請求項４】
前記所定帯域は、移動受信向けの部分受信帯域であり、
前記時間インターリーブ部は、前記部分受信帯域内のセグメントごとに又は前記部分受信帯域内のＴＭＣＣキャリアごとに前記インターリーブパターンを異ならせることを特徴とする請求項１乃至３のいずれか１項に記載の送信装置。
【請求項５】
周波数方向において所定帯域が複数のセグメントからなり、且つ時間方向においてフレームが複数のシンボルからなる信号構造により伝送を行うデジタル放送システムのための受信装置であって、
前記複数のセグメントのそれぞれのＴＭＣＣキャリアに配置されるＴＭＣＣ信号に対して、前記フレーム内のシンボル単位で時間デインターリーブを施す時間デインターリーブ部を備え、
前記時間デインターリーブ部は、セグメントごとに又はＴＭＣＣキャリアごとに、前記時間デインターリーブにおけるデインターリーブパターンを異ならせることを特徴とする受信装置。
【請求項６】
前記時間デインターリーブ部は、前記ＴＭＣＣキャリアごとに、当該ＴＭＣＣキャリアに配置される前記ＴＭＣＣ信号に含まれる情報をシンボル単位で巡回シフトする巡回シフトデインターリーブ部を備え、
前記巡回シフトデインターリーブ部は、前記ＴＭＣＣキャリアごとに、当該ＴＭＣＣキャリアが属するセグメントのセグメント番号又は当該ＴＭＣＣキャリアのキャリア番号に基づいて前記巡回シフトにおけるシフト量を決定することを特徴とする請求項５に記載の受信装置。
【請求項７】
前記時間デインターリーブ部は、
デインターリーブ前後のシンボル番号の対応関係をセグメント番号又はキャリア番号ごとに定めるランダマイズテーブルを保持するランダマイズテーブル保持部と、
前記ＴＭＣＣキャリアごとに、当該ＴＭＣＣキャリアに配置される前記ＴＭＣＣ信号に含まれる情報を前記ランダマイズテーブルに従ってデインターリーブするデインターリーブ部と、を備えることを特徴とする請求項５に記載の受信装置。
【請求項８】
前記所定帯域は、移動受信向けの部分受信帯域であり、
前記時間デインターリーブ部は、前記部分受信帯域内のセグメントごとに又は前記部分受信帯域内のＴＭＣＣキャリアごとに前記デインターリーブパターンを異ならせることを特徴とする請求項５乃至７のいずれか１項に記載の受信装置。
【発明の詳細な説明】
【技術分野】
【０００１】
本発明は、デジタル放送システムのための送信装置及び受信装置に関する。
【背景技術】
【０００２】
現在の地上デジタル放送であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）は、伝送パラメータの異なる複数の階層を同時に伝送する階層伝送が可能である。各階層の伝送パラメータ等の伝送制御情報は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号によって伝送される（例えば、非特許文献１参照）。複数のセグメントの複数のＴＭＣＣキャリアで同一のＴＭＣＣ信号が伝送されており、受信側で信号合成を行うことでダイバーシティ効果を得て、受信性能を向上させることができる。
【０００３】
近年、放送サービスの高度化に向け、次世代の地上デジタル放送（以下、「次世代地上放送」と呼ぶ）の研究が進められている。次世代地上放送は、ＩＳＤＢ−Ｔの特徴であるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号のセグメント構造を継承し、固定受信用サービスと併せて移動受信用サービスを一つの変調波に多重できる方式である。また、ＩＳＤＢ−Ｔとは異なる誤り訂正符号や新しい信号構造を用いることで、周波数利用効率が高く、サービスに応じて柔軟な伝送パラメータ設定ができる。
【０００４】
この伝送パラメータ情報はＴＭＣＣ信号として伝送されるため、受信装置は、伝送パラメータ情報を得るために、ＴＭＣＣ信号をデータ信号よりも先に復調する必要がある。よって、ＴＭＣＣ信号の伝送特性はデータ信号よりも高いことが求められる。
【０００５】
特許文献１には、同期用ビット及びＴＭＣＣ情報を含むＴＭＣＣ信号に対して時間インターリーブを施す送信装置が記載されている。この送信装置は、１ＯＦＤＭフレーム内で、同期用ビットにキャリア変調処理を施した部分を除いた全ての部分（ＴＭＣＣ情報及びパリティ）に対して時間インターリーブを適用することで、ＴＭＣＣ信号に対する誤り訂正能力を向上させている。
【先行技術文献】
【特許文献】
【０００６】
【特許文献１】特開２０１７−１５１０４２号公報
【非特許文献】
【０００７】
【非特許文献１】「地上デジタルテレビジョン放送の伝送方式」標準規格、ＡＲＩＢ  ＳＴＤ−Ｂ３１、一般社団法人  電波産業会
【発明の概要】
【発明が解決しようとする課題】
【０００８】
ところで、次世代地上放送では、ＩＳＤＢ−Ｔよりも、ＦＦＴ（Ｆａｓｔ  Ｆｏｕｒｉｅｒ  Ｔｒａｎｓｆｏｒｍ）サイズが大きく、シンボル長が長いパラメータを用いることが可能であり、このようなパラメータを用いる場合、移動受信環境において伝送路の時間変動による受信特性劣化の影響が大きくなる。
【０００９】
しかしながら、ＩＳＤＢ−ＴのようなＴＭＣＣ伝送方式では、各ＴＭＣＣキャリアにおいて、ＴＭＣＣ信号に含まれる同一情報が同一シンボル（すなわち、同一タイミング）で伝送される。このため、時間変動の大きな伝送路環境において、特定のシンボルの受信状況が劣化した場合、ＴＭＣＣ信号の一部が欠落し、全体のＴＭＣＣ伝送特性の大きな劣化を招くという課題がある。
【００１０】
特許文献１に記載の方法はこのような課題を考慮しておらず、ＴＭＣＣ信号に対して単に時間インターリーブを施すだけであるため、各ＴＭＣＣキャリアにおいて、ＴＭＣＣ信号に含まれる同一情報が同一シンボルで伝送されうる。よって、時間変動の大きな伝送路環境においてＴＭＣＣ伝送特性を改善することが難しい。
【００１１】
そこで、本発明は、時間変動の大きな伝送路環境においてＴＭＣＣ伝送特性を改善することが可能な送信装置及び受信装置を提供することを目的とする。
【課題を解決するための手段】
【００１２】
第１の特徴に係る送信装置は、周波数方向において所定帯域が複数のセグメントからなり、且つ時間方向においてフレームが複数のシンボルからなる信号構造により伝送を行うデジタル放送システムのための送信装置である。前記送信装置は、前記複数のセグメントのそれぞれのＴＭＣＣキャリアに配置されるＴＭＣＣ信号に対して、前記フレーム内のシンボル単位で時間インターリーブを施す時間インターリーブ部を備える。前記時間インターリーブ部は、セグメントごとに又はＴＭＣＣキャリアごとに、前記時間インターリーブにおけるインターリーブパターンを異ならせる。
【００１３】
第２の特徴に係る受信装置は、周波数方向において所定帯域が複数のセグメントからなり、且つ時間方向においてフレームが複数のシンボルからなる信号構造により伝送を行うデジタル放送システムのための受信装置である。前記受信装置は、前記複数のセグメントのそれぞれのＴＭＣＣキャリアに配置されるＴＭＣＣ信号に対して、前記フレーム内のシンボル単位で時間デインターリーブを施す時間デインターリーブ部を備える。前記時間デインターリーブ部は、セグメントごとに又はＴＭＣＣキャリアごとに、前記時間デインターリーブにおけるデインターリーブパターンを異ならせる。
【発明の効果】
【００１４】
本発明によれば、時間変動の大きな伝送路環境においてＴＭＣＣ伝送特性を改善することが可能な送信装置及び受信装置を提供できる。
【図面の簡単な説明】
【００１５】
【図１】実施形態に係るデジタル放送システムについて説明するための図である。
【図２】一般的なＴＭＣＣキャリアへの情報割り当てを示す図である。
【図３】実施形態に係る送信装置を示す図である。
【図４】実施形態に係るＴＭＣＣキャリアごとに時間インターリーブパターン（シフト量）を異ならせる場合の一例を示す図である。
【図５】実施形態に係るセグメントごとに時間インターリーブパターン（シフト量）を異ならせる場合の一例を示す図である。
【図６】実施形態に係る受信装置を示す図である。
【図７】実施形態の効果の一例を示す図である。
【図８】送信装置の時間インターリーブ部の変更例を示す図である。
【図９】受信装置の時間デインターリーブ部の変更例を示す図である。
【図１０】非部分受信帯域へ適用する際のＴＭＣＣキャリアへの情報割り当ての一例を示す図である。
【図１１】ＦＦＴサイズが１６ｋである場合のＴＭＣＣキャリアへの情報割り当ての一例を示す図である。
【発明を実施するための形態】
【００１６】
図面を参照して実施形態について説明する。図面の記載において、同一又は類似の部分には同一又は類似の符号を付している。
【００１７】
＜デジタル放送システム＞
まず、本実施形態に係るデジタル放送システムについて説明する。本実施形態に係るデジタル放送システムは、次世代地上放送に対応した放送システムである。図１は、本実施形態に係るデジタル放送システムについて説明するための図である。
【００１８】
（１）信号構造
本実施形態に係るデジタル放送システムの占有帯域幅は、例えば５．８３ＭＨｚ又は５．５７ＭＨｚである。５．８３ＭＨｚはＩＳＤＢ−Ｔよりも約４．７％拡張した帯域幅であり、伝送容量を増やすことができる。一方で、５．５７ＭＨｚはＩＳＤＢ−Ｔと同じ帯域幅である。
【００１９】
セグメント数については、１セグメント当たりの帯域幅を狭くすることでＩＳＤＢ−Ｔの１３セグメントから最大３５セグメントへ拡大し、各階層への帯域配分を柔軟に行うことができるようにしている。また、サービスに応じて伝送容量及び伝送耐性をより細かく設定できるように、変調多値数や符号化率などの伝送パラメータをＩＳＤＢ−Ｔよりも充実させている。
【００２０】
誤り訂正符号には、ＩＳＤＢ−Ｔよりも誤り訂正能力に優れたＬＤＰＣ符号及びＢＣＨ符号を用いている。ＦＦＴサイズは、８ｋ、１６ｋ、３２ｋの３種類から選択することができる。ＦＦＴサイズを大きくすると、シンボル長を拡大することができるため、物理的なガードインターバル長が同じ場合、シンボル長に対するガードインターバル長の割合が小さくなり、伝送効率は向上する。
【００２１】
また、本実施形態に係るデジタル放送システムでは、全３５セグメント内の中央９セグメントを部分受信する帯域（以下、「部分受信帯域」と呼ぶ）としている。部分受信帯域は、移動受信向けのＡ階層のデータ信号を伝送するために用いる。部分受信帯域以外の帯域を非部分受信帯域と呼ぶ。部分受信帯域の帯域幅は、ＩＳＤＢ−Ｔのワンセグ（帯域幅：０．４３ＭＨｚ）と比較して３．５倍（帯域幅：１．５０ＭＨｚ）に拡大しており、帯域幅を広げることで、周波数選択性フェージングによる影響の軽減を図っている。
【００２２】
（２）ＴＭＣＣ信号伝送
ＴＭＣＣ信号で伝送する情報は、占有帯域幅や各階層における変調方式、誤り訂正符号の符号化率などの伝送パラメータである。受信装置は、放送波を復調する際に、予め決められたＴＭＣＣ信号よりこれらの情報を得ることが必須となる。
【００２３】
ＴＭＣＣ信号を伝送するために、ＯＦＤＭセグメント内にはＴＭＣＣ信号用のキャリア（以下、「ＴＭＣＣキャリア」と呼ぶ）を割り当てている。ＯＦＤＭフレーム内には、ＴＭＣＣ信号以外にＳＰ（Ｓｃａｔｔｅｒｅｄ  Ｐｉｌｏｔ）信号やＬＬｃｈ（Ｌｏｗ  Ｌａｔｅｎｃｙ  Ｃｈａｎｎｅｌ）信号が含まれる。ＬＬｃｈ信号はＩＳＤＢ−ＴのＡＣ（Ａｕｘｉｌｉａｒｙ  Ｃｈａｎｎｅｌ）信号に相当する。
【００２４】
ＴＭＣＣ信号及びＬＬｃｈ信号はデータ信号の平均電力に対し、ブーストしたパワーレベルで伝送され、誤りに強い伝送耐性を得ることができる。また、ブーストすることで、周波数同期のためのパイロット信号としての役割を果たしている。
【００２５】
ＦＦＴサイズによりＴＭＣＣキャリアの本数は異なっているが、ＴＭＣＣ信号はＯＦＤＭフレームを単位として伝送されるため、本実施形態に係るデジタル放送システムにおけるＯＦＤＭフレーム内シンボル数及びＴＭＣＣキャリアの本数の積は、全てのＦＦＴサイズで４４８キャリアシンボルとなる。
【００２６】
キャリア変調方式には、ＤＢＰＳＫを用いるため、４４８キャリアシンボルは４４８ビットに相当する。このうちＯＦＤＭフレームの先頭４０ビットは差動基準及びフレーム同期用の信号として用いているため、残りの４０８ビットを伝送パラメータ情報及びパリティビットとして割り当てる。
【００２７】
ＩＳＤＢ−Ｔでは各セグメントで同じＴＭＣＣ信号を伝送するが、本実施形態に係るデジタル放送システムでは、部分受信帯域と非部分受信帯域とで異なるＴＭＣＣ信号を伝送する。
【００２８】
（３）非部分受信帯域のＴＭＣＣ信号伝送
ＴＭＣＣ信号には、システム識別や部分受信フラグの他、各階層の伝送パラメータ情報などが含まれ、その情報量は２４４ビットである。非部分受信帯域では、これら全ての情報を伝送する。２４４ビットを２つに分割し、差集合巡回符号（２７３，１９１）の短縮符号（２０４，１２２）で符号化する。符号化された２つの２０４ビットの符号化ブロックにて、４０８ビットのＴＭＣＣ信号を構成する。
【００２９】
２６セグメントある非部分受信帯域の各セグメントにおいて、同じＴＭＣＣ信号を伝送するため、受信装置では２６個のキャリアシンボルを合成受信することができ、ＴＭＣＣ信号の受信耐性を強化できる。
【００３０】
（４）部分受信帯域のＴＭＣＣ信号伝送
部分受信帯域は９セグメントであるため、非部分受信と同じ伝送方法では、９個のキャリアシンボルの合成しかできない。そこで、限られたセグメント数の中で伝送特性を向上させるために、伝送するＴＭＣＣ信号の情報量を削減している。
【００３１】
部分受信帯域はＡ階層を伝送するための帯域であるため、ＴＭＣＣ情報ビットは、Ａ階層を受信するために必要な情報のみに限定し、全情報量の半分である１２２ビットとしている。誤り訂正符号には、非部分受信帯域と同じ差集合巡回符号（２０４，１２２）を用いる。
【００３２】
符号化された２０４ビットの符号化ブロックを複製して２連結することで、４０８ビットのＴＭＣＣ信号を構成する。すなわち、部分受信帯域内では、１つのセグメント内で、同じＴＭＣＣ信号を２回伝送できる。
【００３３】
部分受信帯域内では、Ａ階層のセグメント数によらず、９セグメントすべてを用いて、部分受信用のＴＭＣＣ信号を伝送する。よって、受信装置では１８個のキャリアシンボルを合成受信することができ、ＴＭＣＣ信号の受信耐性を強化できる。
【００３４】
一般的に、各セグメントでは、同一シンボル番号のシンボルにて、同じ情報のＴＭＣＣ信号を伝送している。一般的なＴＭＣＣキャリアへの情報割り当てを図２に示す。図２において、ＦＦＴサイズが８ｋである一例を示している。また、セグメントを「ＳＥＧ」と略記している。
【００３５】
図２に示すように、周波数方向において、部分受信帯域はＳＥＧ＃０乃至＃８の合計９セグメントからなり、各セグメントは２１６本のキャリアからなる。各セグメントに２本のＴＭＣＣキャリアが割り当てられている。よって、部分受信帯域全体で１８本のＴＭＣＣキャリアが存在する。また、時間方向において、フレームは２２４シンボルからなる。但し、本実施形態において、ＴＭＣＣキャリアの本数等は図２の例に限定されない。
【００３６】
一般的なＴＭＣＣキャリアへの情報割り当てでは、１８本のＴＭＣＣキャリアにおいて、同一シンボル番号のシンボルは同一の情報が配置される。すなわち、１８本のＴＭＣＣキャリアのシンボルｎ番目（０≦ｎ≦２２３）には同一の情報が配置される。そのため、特定のシンボルにおける受信状況が劣悪であった場合、ＴＭＣＣ信号の一部が欠落し、全体の受信特性の劣化を招く。
【００３７】
＜送信装置＞
次に、本実施形態に係る送信装置について説明する。以下において、部分受信帯域のＴＭＣＣ信号伝送について主として説明する。図３は、本実施形態に係る送信装置１を示す図である。
【００３８】
図３に示すように、送信装置１は、ＴＭＣＣ信号生成部１１と、誤り訂正符号化部１２と、時間インターリーブ部１３と、ＴＭＣＣ信号変調部１４と、ＯＦＤＭフレーム構成部１５と、送信部１６とを備える。
【００３９】
ＴＭＣＣ信号生成部１１は、ＴＭＣＣ信号を生成し、生成したＴＭＣＣ信号を誤り訂正符号化部１２に出力する。ＴＭＣＣ信号に含まれる情報は、占有帯域幅や各階層における変調方式、誤り訂正符号の符号化率などの伝送パラメータである。
【００４０】
誤り訂正符号化部１２は、ＴＭＣＣ信号生成部１１から入力されたＴＭＣＣ信号に対して誤り訂正符号化を施し、誤り訂正符号化後のＴＭＣＣ信号を時間インターリーブ部１３に出力する。誤り訂正符号には、差集合巡回符号（２０４，１２２）を用いる。
【００４１】
時間インターリーブ部１３は、誤り訂正符号化部１２から入力されたＴＭＣＣ信号に対して時間インターリーブを施し、時間インターリーブ後のＴＭＣＣ信号をＴＭＣＣ信号変調部１４に出力する。
【００４２】
時間インターリーブ部１３は、部分受信帯域（所定帯域）を構成する複数のセグメントのそれぞれのＴＭＣＣキャリアに配置されるＴＭＣＣ信号に対して、フレーム内のシンボル単位で時間インターリーブ（巡回シフトインターリーブ）を施す。時間インターリーブ部１３は、セグメントごとに又はＴＭＣＣキャリアごとに、時間インターリーブにおけるインターリーブパターンを異ならせる。なお、時間インターリーブ部１３は、ＴＭＣＣ信号に含まれるＴＭＣＣ情報だけではなく同期用の情報（同期用ビット）も併せてインターリーブする。
【００４３】
本実施形態において、時間インターリーブ部１３は、巡回シフトインターリーブ部１３１を備える。巡回シフトインターリーブ部１３１は、ＴＭＣＣキャリアごとに、当該ＴＭＣＣキャリアに配置されるＴＭＣＣ信号に含まれる情報をシンボル単位で巡回シフトする。例えば、巡回シフトインターリーブ部１３１は、ＴＭＣＣキャリアごとに、当該ＴＭＣＣキャリアが属するセグメントのセグメント番号又は当該ＴＭＣＣキャリアのキャリア番号に基づいて巡回シフトにおけるシフト量を決定する。
【００４４】
このような巡回シフトインターリーブにより、時間方向に情報を分散させることができ、受信特性の改善が期待できる。
【００４５】
図４は、ＴＭＣＣキャリアごとに時間インターリーブパターン（シフト量）を異ならせる場合の一例を示し、図５は、セグメントごとに時間インターリーブパターン（シフト量）を異ならせる場合の一例を示す。図４及び図５において、ＦＦＴサイズが８ｋである一例を示している。
【００４６】
図４に示す例においては、巡回シフトインターリーブ部１３１は、巡回シフトのシフト量をＴＭＣＣキャリアごとに決定することにより、時間インターリーブのパターンをＴＭＣＣキャリアごとに異ならせている。シフト量は、１フレーム内で概ね等間隔にシフトするように設定している。図４において、ＴＭＣＣキャリアごとに１２シンボル巡回シフトして配置する一例を示しているが、シフト量は任意の値としてよい。
【００４７】
図５に示す例においては、巡回シフトインターリーブ部１３１は、巡回シフトのシフト量をセグメントごとに決定することにより、時間インターリーブのパターンをセグメントごとに異ならせている。シフト量は、１フレーム内で概ね等間隔にシフトするように設定している。図５の方法は、セグメント内では、１セグメント内のＴＭＣＣキャリアには、同じシンボル番号に同じ情報が配置される。
【００４８】
なお、１フレーム１１２シンボルの１６ｋＦＦＴを用いる場合は、例えば、９セグメント幅の部分受信帯域ではセグメントごとにシフト量を１２とすることができ、２６セグメント幅の非部分受信帯域ではセグメントごとにシフト量を４とすることができる。
【００４９】
ＴＭＣＣ信号変調部１４は、時間インターリーブ部１３から入力されたＴＭＣＣ信号に対して差動変調を施し、差動変調後のＴＭＣＣ信号をＯＦＤＭフレーム構成部１５に出力する。
【００５０】
ＯＦＤＭフレーム構成部１５は、ＴＭＣＣ信号変調部１４から入力されたＴＭＣＣ信号をデータ信号とともにＯＦＤＭフレームに割り当てて、ＯＦＤＭフレームを送信部１６に出力する。
【００５１】
送信部１６は、ＯＦＤＭフレーム構成部１５から入力されたＯＦＤＭフレームを送信する。
【００５２】
＜受信装置＞
次に、本実施形態に係る受信装置について説明する。図６は、本実施形態に係る受信装置２を示す図である。
【００５３】
図６に示すように、受信装置２は、受信部２１と、ＴＭＣＣ信号抽出部２２と、ＴＭＣＣ信号復号部２３と、時間デインターリーブ部２４と、ＴＭＣＣ信号加算部２５と、ＴＭＣＣ信号誤り訂正復号部２６と、データ信号復号部２７とを備える。
【００５４】
受信部２１は、送信装置１から送信された信号（ＯＦＤＭフレーム）を受信し、受信した信号をＴＭＣＣ信号抽出部２２及びデータ信号復号部２７に出力する。
【００５５】
ＴＭＣＣ信号抽出部２２は、受信部２１から入力された信号からＴＭＣＣ信号を抽出し、抽出したＴＭＣＣ信号をＴＭＣＣ信号復号部２３に出力する。
【００５６】
ＴＭＣＣ信号復号部２３は、ＴＭＣＣ信号抽出部２２から入力されたＴＭＣＣ信号に対してＴＭＣＣ復号を施し、復号後のＴＭＣＣ信号を時間デインターリーブ部２４に出力する。
【００５７】
時間デインターリーブ部２４は、送信装置１の時間インターリーブ部１３が行う処理の逆処理を行う。すなわち、時間デインターリーブ部２４は、ＴＭＣＣ信号復号部２３から入力されたＴＭＣＣ信号に対して時間デインターリーブを施し、時間デインターリーブ後のＴＭＣＣ信号をＴＭＣＣ信号加算部２５に出力する。
【００５８】
時間デインターリーブ部２４は、部分受信帯域（所定帯域）を構成する複数のセグメントのそれぞれのＴＭＣＣキャリアに配置されるＴＭＣＣ信号に対して、フレーム内のシンボル単位で時間デインターリーブを施す。時間デインターリーブ部２４は、セグメントごとに又はＴＭＣＣキャリアごとに、時間デインターリーブにおけるデインターリーブパターンを異ならせる。
【００５９】
時間デインターリーブ部２４は、巡回シフトデインターリーブ部２４１を備える。巡回シフトデインターリーブ部２４１は、ＴＭＣＣキャリアごとに、当該ＴＭＣＣキャリアに配置されるＴＭＣＣ信号に含まれる情報をシンボル単位で巡回シフトする。例えば、巡回シフトデインターリーブ部２４１は、ＴＭＣＣキャリアごとに、当該ＴＭＣＣキャリアが属するセグメントのセグメント番号又は当該ＴＭＣＣキャリアのキャリア番号に基づいて巡回シフトにおけるシフト量を決定する。
【００６０】
ＴＭＣＣ信号加算部２５は、時間デインターリーブ部２４から入力されたＴＭＣＣ信号に対して信号加算を施し、信号加算後のＴＭＣＣ信号をＴＭＣＣ信号誤り訂正復号部２６に出力する。
【００６１】
ＴＭＣＣ信号誤り訂正復号部２６は、ＴＭＣＣ信号加算部２５から入力されたＴＭＣＣ信号に対して信号誤り訂正復号を施すことによりＴＭＣＣ情報（伝送パラメータ）を取得し、ＴＭＣＣ情報をデータ信号復号部２７に出力する。
【００６２】
データ信号復号部２７は、ＴＭＣＣ信号誤り訂正復号部２６から入力されたＴＭＣＣ情報を元にデータ信号の復号を行い、復号されたデータ信号を出力する。
【００６３】
＜作用・効果＞
本実施形態に係る送信装置１及び受信装置２によれば、ＴＭＣＣ信号に施す時間インターリーブ（時間デインターリーブ）のパターンをセグメントごとに又はＴＭＣＣキャリアごとに異ならせることにより、各ＴＭＣＣキャリアのＴＭＣＣ信号に含まれる同一情報を時間方向に分散させることができる。
【００６４】
これにより、あるシンボルで伝送されている情報が大きな劣化の影響を受けたとしても、別のシンボルで同じ情報が伝送されているため、劣化の影響を緩和できる。よって、時間変動の大きな伝送路環境においてＴＭＣＣ伝送特性を改善できる。
【００６５】
図７は、本実施形態の効果の一例を示す図であって、本実施形態に係る巡回シフトインターリーブ（ＩＬ）がある場合とない場合とで、移動速度に対する所要Ｃ／Ｎを比較して示す。図７に示すように、本実施形態に係る巡回シフトインターリーブを適用することにより、速度耐性が向上している。
【００６６】
＜変更例＞
図８は、送信装置１の時間インターリーブ部１３の変更例を示す図である。図９は、受信装置２の時間デインターリーブ部２４の変更例を示す図である。
【００６７】
図８に示すように、本変更例に係る時間インターリーブ部１３は、巡回シフトによる時間インターリーブに代えて、ランダマイズテーブルを用いた時間インターリーブを行う。具体的には、時間インターリーブ部１３は、ランダマイズテーブル保持部１３２と、インターリーブ部１３３とを備える。
【００６８】
ランダマイズテーブル保持部１３２は、インターリーブ前後のシンボル番号の対応関係をセグメント番号又はキャリア番号ごとに定めるランダマイズテーブルを保持する。インターリーブ部１３３は、ＴＭＣＣキャリアごとに、当該ＴＭＣＣキャリアに配置されるＴＭＣＣ信号に含まれる情報をランダマイズテーブルに従ってインターリーブする。
【００６９】
同様に、図９に示すように、本変更例に係る時間デインターリーブ部２４は、巡回シフトによる時間デインターリーブに代えて、ランダマイズテーブルを用いた時間デインターリーブを行う。具体的には、時間デインターリーブ部２４は、ランダマイズテーブル保持部２４２と、デインターリーブ部２４３とを備える。
【００７０】
ランダマイズテーブル保持部２４２は、デインターリーブ前後のシンボル番号の対応関係をセグメント番号又はキャリア番号ごとに定めるランダマイズテーブルを保持する。デインターリーブ部２４３は、ＴＭＣＣキャリアごとに、当該ＴＭＣＣキャリアに配置されるＴＭＣＣ信号に含まれる情報をランダマイズテーブルに従ってデインターリーブする。
【００７１】
本変更例によっても、各ＴＭＣＣキャリアのＴＭＣＣ信号に含まれる同一情報を時間方向に分散させることができるため、時間変動の大きな伝送路環境においてＴＭＣＣ伝送特性を改善できる。
【００７２】
＜その他の実施形態＞
上述した実施形態において、部分受信帯域のＴＭＣＣ信号伝送について主として説明したが、上述した実施形態に係る方法を非部分受信帯域に適用してもよい。上述したように、部分受信帯域と非部分受信帯域とで異なるＴＭＣＣ情報を伝送している。部分受信帯域ではＡ階層を復号するための伝送制御情報のみを伝送し、非部分受信帯域では全ての階層の伝送制御情報を伝送する。
【００７３】
非部分受信帯域へ適用する際のＴＭＣＣキャリアへの情報割り当てを図１０に示す。非部分受信帯域は伝送する情報が多いため、複数ＴＭＣＣキャリアで１つのＴＭＣＣ情報を伝送する。なお、図１０に示したシフト量は１例であって、他のシフト量を適用してもよい。また、部分受信帯域内においても、１つのセグメント内の複数ＴＭＣＣキャリアを用いて１つのＴＭＣＣ情報を伝送する場合は図１０のような形態を用いることができる。
【００７４】
上述した実施形態において、ＦＦＴサイズが８ｋである一例について主として説明した。しかしながら、ＦＦＴサイズは８ｋに限定されない。ＦＦＴサイズが１６ｋである一例について図１１に示す。ＦＦＴサイズが１６ｋである場合、１セグメント内のＴＭＣＣキャリアの本数は、ＦＦＴサイズが８ｋである場合の２倍、すなわち４本になる。これら４本のうち２本のＴＭＣＣキャリアに同じＴＭＣＣ情報が配置され、残りの２本のＴＭＣＣキャリアに同じＴＭＣＣ情報が配置される。このような場合、同じＴＭＣＣ情報が配置される２本のＴＭＣＣキャリア間で、同一情報が同一シンボル番号にならないようにシフト量を異ならせる。
【００７５】
送信装置１が行う各処理をコンピュータに実行させるプログラム及び受信装置２が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００７６】
また、送信装置１が行う各処理を実行する機能部（回路）を集積化し、送信装置１を半導体集積回路（チップセット、ＳｏＣ）として構成してもよい。同様に、受信装置２が行う各処理を実行する機能部（回路）を集積化し、受信装置２を半導体集積回路（チップセット、ＳｏＣ）として構成してもよい。
【００７７】
以上、図面を参照して一実施形態について詳しく説明したが、具体的な構成は上述のものに限られることはなく、要旨を逸脱しない範囲内において様々な設計変更等をすることが可能である。
【符号の説明】
【００７８】
１      ：送信装置
２      ：受信装置
１１    ：ＴＭＣＣ信号生成部
１２    ：誤り訂正符号化部
１３    ：時間インターリーブ部
１４    ：ＴＭＣＣ信号変調部
１５    ：ＯＦＤＭフレーム構成部
１６    ：送信部
２１    ：受信部
２２    ：ＴＭＣＣ信号抽出部
２３    ：ＴＭＣＣ信号復号部
２４    ：時間デインターリーブ部
２５    ：ＴＭＣＣ信号加算部
２６    ：ＴＭＣＣ信号誤り訂正復号部
２７    ：データ信号復号部
１３１  ：巡回シフトインターリーブ部
１３２  ：ランダマイズテーブル保持部
１３３  ：インターリーブ部
２４１  ：巡回シフトデインターリーブ部
２４２  ：ランダマイズテーブル保持部
２４３  ：デインターリーブ部
【図１】
2020065253.tif 000003
【図２】
2020065253.tif 000004
【図３】
2020065253.tif 000005
【図４】
2020065253.tif 000006
【図５】
2020065253.tif 000007
【図６】
2020065253.tif 000008
【図７】
2020065253.tif 000009
【図８】
2020065253.tif 000010
【図９】
2020065253.tif 000011
【図１０】
2020065253.tif 000012
【図１１】
2020065253.tif 000013